(57)【特許請求の範囲】
【請求項１】
複数の機能ユニットを具備し、該複数の機能ユニットが連なって構成され、正面に吸気口、背面に排気口、下面に足が設けられ、前記吸気口から塵を含む空気を吸引し、該空気を濾過して前記排気口から排出する集塵機であって、
前記複数の機能ユニットのうち、
一対の開口部を有する集塵用ハウジングと、前記集塵用ハウジングの一対の開口部を両端部とする集塵経路の途中にあって、前記集塵用ハウジング内に設けられる集塵フィルタとを備えて空気を濾過する集塵ユニットと、
一対の開口部を有する送風用ハウジングと、前記送風用ハウジングの一対の開口部を両端部とする送風経路の途中にあって、前記送風用ハウジング内に設けられる送風機とを備えて空気流を発生する送風ユニットと、
一対の開口部を有する脱臭用ハウジングと、前記脱臭用ハウジングの一対の開口部を両端部とする脱臭経路の途中にあって、前記脱臭用ハウジング内に設けられ、活性炭で構成された脱臭フィルタとを備えて空気から脱臭を行う脱臭ユニットと
を具備し、
前記脱臭用ハウジングは、
前記脱臭経路の一端部側であって前記上面側に設けられた第１室と、
前記脱臭経路の他端部側であって前記下面側に設けられた第２室と、
前記第１室と前記第２室とを連通する貫通穴を有して前記第１室と前記第２室とを仕切る仕切り部と
を備え、
前記脱臭フィルタは、前記仕切り部の前記貫通穴と対向するように、前記第１室内に設けられ、
前記吸気口から前記排気口までの通気経路では、前記集塵経路、前記脱臭経路、前記送風経路の順、あるいは、前記集塵経路、前記送風経路、前記脱臭経路の順で連通するように、前記複数の機能ユニットが取り付けられることを特徴とする集塵機。
【請求項２】
請求項１記載の集塵機において、
前記脱臭フィルタは、通気性を有する袋と、前記袋に収納される前記活性炭と、該活性炭を収納した前記袋を収納し、平板状に形成された箱とを備え、
前記箱は、該箱の面内方向で互いに離隔するように、該箱の上面側の正面に設けられた一方の開口部と、該箱の下面に設けられた他方の開口部とを有し、
前記脱臭ユニットは、前記箱の下面と前記仕切り部との間に設けられ、前記箱の下面に設けられた開口部および前記仕切り部の貫通穴を囲む枠状の脱臭用シール体を備え、
前記脱臭ユニットは、前記箱の厚さ方向に前記集塵ユニットまたは前記送風ユニットと取り付けられることを特徴とする集塵機。
【請求項３】
請求項１または２記載の集塵機において、
前記集塵ユニットは、前記排気口側から前記集塵フィルタに間欠に当接して該集塵フィルタを振動させるシェーキング体を、前記集塵用ハウジング内に備えることを特徴とする集塵機。
【請求項４】
請求項１〜３のいずれか一項に記載の集塵機において、
隣接する機能ユニット間に設けられ、前記通気経路をシールするシール体と、
前記隣接する機能ユニット間にかかる取付け具と
を備えることを特徴とする集塵機。
【請求項５】
請求項１〜４のいずれか一項に記載の集塵機において、
前記複数の機能ユニットのうち、
一対の開口部を有する排気用ハウジングと、前記排気用ハウジングの一対の開口部を両端部とする排気経路の途中にあって、前記排気用ハウジング内に設けられ、前記集塵フィルタよりも目の細かい排気フィルタとを備えて空気を濾過する排気ユニットを具備し、
前記通気経路では、最も前記排気口側に前記排気経路が介在して連通するように、前記複数の機能ユニットが取り付けられることを特徴とする集塵機。
【請求項６】
請求項１〜５のいずれか一項に記載の集塵機において、
前記送風ユニットは、前記送風経路の途中の前記送風機の手前で、前記送風用ハウジング内に設けられる送風フィルタを備えることを特徴とする集塵機。
【発明の詳細な説明】
【技術分野】
【０００１】
本発明は、集塵機に適用して有効な技術に関する。
【背景技術】
【０００２】
実用新案登録第３１４８０２７号公報（特許文献１）には、ヒューム捕集機に関する技術が記載されている。このヒューム捕集機は、集塵フィルタやブロアなどを一つのハウジングに収納し、ブロアを用いて空気の流れを発生させ、その空気からヒュームを集塵フィルタで捕集するものである。
【先行技術文献】
【特許文献】
【０００３】
【特許文献１】実用新案登録第３１４８０２７号公報
【発明の概要】
【発明が解決しようとする課題】
【０００４】
集塵機の用途としては次のように様々である。例えば、集塵機は、薬品や化粧品の調合作業時の集塵に用いられる。また、集塵機は、静電除去装置バキュームクリーナ用としても用いられる。また、集塵機は、レーザ加工機により樹脂やゴムなどを加工すると発生する臭気、ヒュームなどの粉塵を含む空気を濾過するためにも用いられる。また、集塵機は、クリーンルーム内にも用いられる。また、集塵機は、ハンダなどのヒューム、ガス状成分の吸着・脱臭を行うためにも用いられる。
【０００５】
このように、集塵機では、用途に応じて、微粒子、粉塵といった大きさの違う塵などの集塵（捕集）や、粘着性の程度の違う塵などの集塵、さらに、ガス状成分の吸着・脱臭が行われる。そこで、集塵機では、これら様々の用途に対応するために、用途に適したフィルタ（例えば、集塵フィルタ、排気フィルタ、脱臭フィルタ）を選択して組み合わされている。
【０００６】
特許文献１に記載のように、従来の集塵機（捕集機）は、一つのハウジング（筐体）内に、ブロアなどの送風機と各種のフィルタなどが固定して収納される。例えば、集塵フィルタのみの集塵機、集塵フィルタと脱臭フィルタとを組み合わせた集塵機、集塵フィルタと排気フィルタとを組み合わせた集塵機など、各種のフィルタを組み合わせて一つのハウジング内に送風機と一緒に収納される。このため、多くの用途に応じる、すなわち様々なユーザの要望に応じて、多種の集塵機が製品化されることとなる。
【０００７】
このように、一つのハウジング内に各種の機能をもつ部品（例えば、送風機とフィルタ）を収納してなる集塵機では、ユーザの要望に素早く対応できず、また、特定の用途向け（ユーザ別）に製品化しても多くの在庫を抱えることにもなってしまう。また、一つのハウジング内に、各種の機能部品が収納されるため、例えば、フィルタの清掃や交換が困難となるなど、メンテナンスを行うのも幾分容易ではない。
【０００８】
本発明の目的は、機能別のユニットを組み合わせて構成される集塵機を提供することにある。また、本発明の他の目的は、集塵機のメンテナンス性を向上することのできる技術を提供することにある。本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
本発明の一実施形態における集塵機は、複数の機能ユニットを具備し、該複数の機能ユニットが連なって構成され、正面に吸気口、背面に排気口、下面に足が設けられ、前記吸気口から塵を含む空気を吸引し、該空気を濾過して前記排気口から排出するものである。
【００１１】
前記集塵機は、前記複数の機能ユニットのうち、一対の開口部を有する集塵用ハウジングと、前記集塵用ハウジングの一対の開口部を両端部とする集塵経路の途中にあって、前記集塵用ハウジング内に設けられる集塵フィルタとを備えて空気を濾過する集塵ユニットと、一対の開口部を有する送風用ハウジングと、前記送風用ハウジングの一対の開口部を両端部とする送風経路の途中にあって、前記送風用ハウジング内に設けられる送風機とを備えて空気の流れを発生する送風ユニットと、一対の開口部を有する脱臭用ハウジングと、前記脱臭用ハウジングの一対の開口部を両端部とする脱臭経路の途中にあって、前記脱臭用ハウジング内に設けられ、活性炭で構成された脱臭フィルタとを備えて空気から脱臭を行う脱臭ユニットとを具備する。
【００１２】
ここで、前記脱臭用ハウジングは、前記脱臭経路の一端部側であって前記上面側に設けられた第１室と、前記脱臭経路の他端部側であって前記下面側に設けられた第２室と、前記第１室と前記第２室とを連通する貫通穴を有して前記第１室と前記第２室とを仕切る仕切り部とを備える。前記脱臭フィルタは、前記仕切り部の前記貫通穴と対向するように、前記第１室内に設けられる。前記吸気口から前記排気口までの通気経路では、前記集塵経路、前記脱臭経路、前記送風経路の順、あるいは、前記集塵経路、前記送風経路、前記脱臭経路の順で連通するように、前記複数の機能ユニットが取り付けられる。
【発明の効果】
【００１３】
本願において開示される発明のうち、代表的なものによって得られる効果を簡単に説明すれば次のとおりである。前記一実施形態によれば、機能別のユニットを組み合わせて構成される集塵機を提供することができる。また、機能別のユニットのため、集塵機のメンテナンス性を向上することができる。
【図面の簡単な説明】
【００１４】
【図１】本発明の実施形態１における集塵機の斜視図である。
【図２】図１の集塵機の通気経路を説明するための図である。
【図３】図１の集塵ユニットの組み立て斜視図である。
【図４】図１の脱臭ユニットの組み立て斜視図である。
【図５】図１の脱臭ユニットの背面図である。
【図６】図４の脱臭フィルタの組み立て斜視図である。
【図７】図４の脱臭フィルタの下面図である。
【図８】図１の送風ユニットの組み立て斜視図である。
【図９】図１の排気ユニットの組み立て斜視図である。
【図１０】図１の排気ユニットの正面図である。
【図１１】本発明の実施形態２における集塵機の斜視図である。
【図１２】図１１の集塵ユニットの組み立て斜視図である。
【図１３】本発明の実施形態３における集塵機の一例の斜視図である。
【図１４】本発明の実施形態３における集塵機の他例の斜視図である。
【図１５】本発明の実施形態４における集塵機の一例の斜視図である。
【図１６】本発明の実施形態４における集塵機の他例の斜視図である。
【図１７】本発明の実施形態５における集塵機の一例の斜視図である。
【図１８】本発明の実施形態５における集塵機の他例の斜視図である。
【発明を実施するための形態】
【００１５】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００１６】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１７】
［実施形態１］
本発明の実施形態における集塵機１０について図面を参照して説明する。図１は本実施形態における集塵機１０を正面左上側からみた斜視図である。また、図２は集塵機１０の吸気口１２から排出口１３までの空気の流れ（これを通気経路１１として示す。）を説明するための図である。図２では、通気経路１１を最も太い線で示し、また、集塵機１０内に設けられる主な構成部品を破線で示している。また、図２では、集塵機１０内の通気経路１１を大まかに直線状に示している。勿論、通気経路１１には、カーブ状のものも含まれる。
【００１８】
集塵機１０は、複数の機能ユニットを具備し、吸気口１２から塵を含む空気を吸引し、この空気を濾過して排気口１３から排出するものである。集塵機１０は、複数の機能ユニットのうち、集塵ユニット１４と、脱臭ユニット１５と、送風ユニット１６と、排気ユニット１７とを具備している。集塵機１０では、筒状の吸気口１２が集塵ユニット１４に設けられ、ルーバー状の排出口１３が排気ユニット１７に設けられている（図２参照）。なお、筒状の吸気口１２にバンドで固定したダクトを接続することもできる。
【００１９】
集塵機１０は、図２に示すように、空気を濾過する集塵ユニット１４が、一対の開口部２０ａ、２０ｂを有する集塵用ハウジング２０と、一対の開口部２０ａ、２０ｂを両端部とする集塵経路２１の途中にあって、集塵用ハウジング２０内に設けられた集塵フィルタ２２とを備えている。一対の開口部２０ａ、２０ｂは、それぞれ集塵用ハウジング２０（集塵ユニット１４）の正面とその反対側の背面に設けられ、集塵経路２１において空気の吸引側と排出側の開口部となっている。
【００２０】
また、集塵機１０は、図２に示すように、空気からの脱臭を行う脱臭ユニット１５が、一対の開口部３０ａ、３０ｂを有する脱臭用ハウジング３０と、一対の開口部３０ａ、３０ｂを両端部とする脱臭経路３１の途中にあって、脱臭用ハウジング３０内に設けられた脱臭フィルタ３２とを備えている。一対の開口部３０ａ、３０ｂは、それぞれ脱臭用ハウジング３０（脱臭ユニット１５）の正面とその反対側の背面に設けられ、脱臭経路３１において空気の吸引側と排出側の開口部となっている。
【００２１】
また、集塵機１０は、図２に示すように、空気の流れを発生する送風ユニット１６が、一対の開口部４０ａ、４０ｂを有する送風用ハウジング４０と、一対の開口部４０ａ、４０ｂを両端部とする送風経路４１の途中にあって、送風用ハウジング４０内に設けられた送風機４２とを備えている。一対の開口部４０ａ、４０ｂは、それぞれ送風用ハウジング４０（送風ユニット１６）の正面とその反対側の背面に設けられ、送風経路４１において空気の吸引側と排出側の開口部となっている。また、送風ユニット１６が、送風経路４１の途中の送風機４２の手前で、送風用ハウジング４０内に設けられる送風フィルタ４３を備えている。
【００２２】
また、集塵機１０は、図２に示すように、空気を濾過する排気ユニット１７が、一対の開口部５０ａ、５０ｂを有する排気用ハウジング５０と、一対の開口部５０ａ、５０ｂを両端部とする排気経路５１の途中にあって、排気用ハウジング５０内に設けられた排気フィルタ５２とを備えている。一対の開口部５０ａ、５０ｂは、それぞれ排気用ハウジング５０（排気ユニット１７）の正面とその反対側の背面に設けられ、排気経路５１において空気の吸引側と排出側の開口部となっている。
【００２３】
このような集塵機１０の吸気口１２から排気口１３までの通気経路１１では、吸気口１２側に集塵経路２１、これよりも排気口１３側に送風経路４１が介在して連通するように、複数の機能ユニットが取り付けられている。また、通気経路１１では、集塵経路２１と送風経路４１の間に脱臭経路３１が介在して連通するように、複数の機能ユニットが取り付けられている。また、通気経路１１では、最も排気口１３側に排気経路５１が介在して連通するように、複数の機能ユニットが取り付けられている。
【００２４】
すなわち、集塵機１０では、集塵経路２１、脱臭経路３１、送風経路４１、排気経路５１がこの順で介在して連通するように、集塵ユニット１４、脱臭ユニット１５、送風ユニット１６および排気ユニット１７の複数の機能ユニットが取り付けられている。なお、脱臭経路３１が集塵経路２１と送風経路４１との間ではなく、送風経路４１と排気口１３との間に介在して連通するように、複数の機能ユニットが取り付けられてもよい。また、集塵経路２１と送風経路４１との間、および送風経路４１と排気口１３との間の両方に２つの脱臭経路３１を介在して連通するように、複数の機能ユニットが取り付けられてもよい。
【００２５】
このように複数の機能ユニットが取り付けられる集塵機１０は、図２に示すように、隣接する機能ユニット間に設けられたシール体６０を備えている。シール体６０は、例えば、枠状のパッキンであり、通気経路１１において空気がリークしないように設けられている。
【００２６】
具体的には、集塵ユニット１４と脱臭ユニット１５との間であって、集塵用ハウジング２０の開口部２０ｂと、脱臭用ハウジング３０の開口部３０ａを囲んでシール体６０が設けられている。また、脱臭ユニット１５と送風ユニット１６との間であって、脱臭用ハウジング３０の開口部３０ｂと、送風用ハウジング４０の開口部４０ａを囲んでシール体６０が設けられている。また、送風ユニット１６と排気ユニット１７との間であって、送風用ハウジング４０の開口部４０ｂと、排気用ハウジング５０の開口部５０ａを囲んでシール体６０が設けられている。
【００２７】
また、集塵機１０は、図１に示すように、取り付けられて隣接する機能ユニット間にかかる取付け具６３を備えている。取付け具６３としては、抜き差し蝶番、パチン錠、ネジ止め具などがあり、これらを組み合わせて、機能ユニット間が取り付けられる。抜き差し蝶番を用いることで、例えば、機能ユニット間を自由に開閉でき、また各機能ユニットの取り外しが容易となる。また、本体部およびその受け部からなるパチン錠を用いることで、例えば、機能ユニット間を容易に固定できる。また、雄ネジ部（例えば、ボルト）と雌ネジ部（例えば、ネジ穴）からなるネジ止め具を用いることで、例えば、ハウジングに形成されたネジ穴により部品点数を低減して機能ユニット間を固定できる。
【００２８】
集塵機１０では、集塵ユニット１４と脱臭ユニット１５との取り付けには、集塵機１０の正面に対して右側面側の二箇所で抜き差し蝶番の取付け具６３と、左側面側の二箇所でパチン錠の取付け具６３とが用いられる（図３、図４参照）。また、脱臭ユニット１５と送風ユニット１６との取り付けには、集塵機１０の正面に対して右側面側の二箇所で抜き差し蝶番の取付け具６３と、左側面側の二箇所でパチン錠の取付け具６３とが用いられる（図４、図８参照）。また、送風ユニット１６と排気ユニット１７との取り付けには、それぞれの対向する面の隅などでネジ止め具の取付け具（図示せず）が用いられる。なお、送風ユニット１６と排気ユニット１７との取り付けには、ネジ止め具の他に、前述の抜き差し蝶番とパチン錠を組み合わせて用いることもできる。
【００２９】
集塵機１０では、電装品が送風ユニット１６に設けられるため、各機能ユニットのうち送風ユニット１６が最も重量がある。このため、集塵機１０では、蝶番の取付け具６３によって、送風ユニット１６に対して脱臭ユニット１５（および集塵ユニット１４）を自由に開閉できるようにしている。また、蝶番の取付け具６３によって、脱臭ユニット１５に対して集塵ユニット１４を自由に開閉できるようにしている。
【００３０】
また、集塵機１０は、図２に示すように、ゴム製の足６８を備えている。集塵ユニット１４の下面に一対、脱臭ユニット１５の下面に一対、送風ユニット１６の下面に一組、排気ユニット１７の下面に一対設けられている。
【００３１】
次に、集塵ユニット１４の構成について図面を参照して説明する。図３は背面右上側からみた集塵ユニット１４の組み立て斜視図である。
【００３２】
集塵用ハウジング２０は、吸気側の正面、これに対する背面、上面、下面、右側面および左側面を有する第１ハウジング７０および第２ハウジング７１から構成される。これらは第１ハウジング７０の背面と第２ハウジング７１の正面との四隅などでネジ止めして取り付けられる。なお、第１ハウジング７０と第２ハウジング７１との取り付けには、ネジ止め具の他に、前述のように抜き差し蝶番とパチン錠の組み合わせを用いることもできる。
【００３３】
第１ハウジング７０の正面、背面、上面にはそれぞれ開口部７０ａ、７０ｂ、７０ｃが設けられている。第１ハウジング７０正面の開口部７０ａ側では、筒状の吸気口１２を有する吸気扉７２が溶接して取り付けられている。また、第１ハウジング７０上面の開口部７０ｃ側では、開口部７０ｃを塞ぐようにダストプレート７３がネジ止めして取り付けられる。また、第１ハウジング７０背面の開口部７０ｂ側では、第１ハウジング７０の開口部７０ｂと第２ハウジングの開口部７１ａとが連通するように、第２ハウジング７１がネジ止めして取り付けられる。
【００３４】
この第１ハウジング７０内には、背面の開口部７０ｂ側から差し入れられる衝突板７４が設けられる。平面視矩形状の衝突板７４は、左右両側にフランジ部が設けられており、このフランジ部で吸気扉７２とネジ止めして取り付けられる。第１ハウジング７０内に取り付けられた衝突板７４には、吸気口１２から吸引された空気が衝突し、主にフランジ部が設けられていない上下側から空気が第１ハウジング７０の背面側へ回り込む。なお、図２では、説明を明解にするために、衝突板７４の上面側にもフランジ部を設け、下側からのみ空気が回り込む様子を示している。
【００３５】
また、第１ハウジング７０内には、背面の開口部７０ｂ側から嵌め込まれる集塵フィルタ２２が設けられる。集塵フィルタ２２は、枠７５と、枠部７５に取り囲まれた蛇腹状のシェーキングフィルタ７６（フィルタのシートが折り畳まれたもの）と、蛇腹状のシェーキングフィルタ７６の山側に取り付けられた複数の金具部７７とを備えている。金具部７７は、後述のシェーキング体８０が当接されるものである。
【００３６】
第２ハウジング７１の正面、背面にはそれぞれ開口部７１ａ、７１ｂが設けられている。第２ハウジング７１の正面の開口部７１ａ側では、シェーキング体８０が取り付けられる。また、第２ハウジング７１背面の開口部７１ｂ側では、脱臭ユニット１５が取り付けられる（図２参照）。この第２ハウジング７１背面では、集塵ユニット１４と脱臭ユニット１５との間に設けられる枠状のシール体６０が、開口部７１ｂを囲むように貼り付けられている。
【００３７】
このように、第１ハウジング７０と第２ハウジング７１から構成される集塵用ハウジング２０においては、第１ハウジング７０の開口部７０ａが、集塵用ハウジング２０の開口部２０ａに対応するものとなり、第２ハウジング７１の開口部７１ｂが、集塵用ハウジング２０の開口部２０ｂに対応するものとなる。このため、集塵経路２１の一端部が開口部７０ａであり、集塵経路２１の他端部が開口部７１ｂであるとみなすこともできる。
【００３８】
ここで、集塵ユニット１４が備えるシェーキング体８０について詳細に説明する。シェーキング体８０は、図３に示すように、梁部８１と、アーム部８２と、当接部８３と、突起部８４と、シャフト部８５と、レバー部８６とを備えている。
【００３９】
フランジ部が設けられた梁部８１は、開口部７１ａにかかるようにネジ止めして取り付けられている。アーム部８２は、梁部８１中央に設けられた回転軸８１ａで回動するように取り付けられている。当接部８３は、例えば球状であり、アーム部８２の一端に取り付けられている。突起部８４は、アーム部８２の他端に設けられた長溝８２ａ内に突出し、長溝８２ａに沿って移動するように取り付けられている。シャフト部８５は、一端に突起部８４が取り付けられている。レバー部８６は、第２ハウジング７１の左側面から突き出たシャフト部８５の他端に取り付けられている。
【００４０】
シェーキング体８０では、レバー部８６を往復させることで、シャフト部８５が往復する。このとき、シャフト部８５の突起部８４がアーム部８２の長溝８２ａ内を往復動することとなるが、アーム部８２が回転軸８１ａで軸支されているため、アーム部８２の当接部８３が円弧を描くように移動する。
【００４１】
この当接部８３の軌跡に沿うように、蛇腹状のシェーキングフィルタ７６の山側に複数の金具部７７が設けられている。このため、シェーキング体８０は、当接部８３が蛇腹状のシェーキングフィルタ７６の山側（の金具部７７）と当接し、谷側とは当接しないので、排気口１３側から集塵フィルタ２２に間欠に当接して集塵フィルタ２２を振動させるものとなる。この振動により、集塵フィルタ２２に付着した塵を払い落す、クリーニングが行われる。
【００４２】
この払い落とされた塵を取り除く際には、まず、集塵ユニット１４のパチン錠の取付け具６３を外し、抜き差し蝶番の取付け具６３を抜いて脱臭ユニット１５から集塵ユニット１４を取り出す。次いで、開口部７０ｃを覆うダストプレート７３を取り外す。次いで、開口部７０ｃから集塵ユニット１４内部の塵を取り除く。その後、逆の手順で脱臭ユニット１５へ集塵ユニット１４を取り付ける。
【００４３】
また、塵により目詰まりして捕集効率が低下した集塵フィルタ２２を交換する際には、まず、集塵ユニット１４を脱臭ユニット１５から取り出す。次いで、第１ハウジング７０と第２ハウジング７１とを固定するネジを外して、第１ハウジング７０から第２ハウジング７１を取り外す。次いで、集塵フィルタ２２を新しいものと交換し、取り付ける。その後、逆の手順で第１ハウジング７０へ第２ハウジング７１を取り付ける。
【００４４】
このように、集塵機能とクリーニング機能を兼ね備えた集塵ユニット１４において、レバー部８６を数回往復動することで、集塵フィルタ２２に付着した塵が取り除かれ、塵の捕集効率の低下を防止して集塵フィルタ２２の寿命を延長することができる。このため、集塵フィルタ２２の交換頻度も減少して、集塵機１０のメンテナンス性を向上することができる。なお、このようなシェーキングフィルタ７６やシェーキング体８０を備えた集塵ユニット１４は、シェーキングフィルタユニットともいう。
【００４５】
次に、脱臭ユニット１５の構成について図面を参照して説明する。図４は、正面右上側からみた脱臭ユニット１５の組み立て斜視図である。図５は、脱臭ユニット１５の背面側からみた平面図（背面図）である。図６は、背面左上側からみた脱臭フィルタ３２を構成する各部品の組み立て斜視図である。図７は、脱臭フィルタ３２の下面側からみた平面図（下面図）である。
【００４６】
ここで、図５では、説明を明解にするために、シール体６０にハッチングを付している。このように、脱臭用ハウジング３０背面では、脱臭ユニット１５と送風ユニット１６の間に設けられる枠状のシール体６０が、開口部３０ｂを囲むように貼り付けられている。また、図７では、説明を明解にするために、脱臭用シール体９８にハッチングを付している。
【００４７】
脱臭ユニット１５の脱臭用ハウジング３０は、吸気側の正面、これに対する背面、上面、下面、右側面および左側面を有する。脱臭用ハウジング３０の正面、背面、上面にはそれぞれ開口部３０ａ、３０ｂ、３０ｃが設けられている。脱臭用ハウジング３０正面の開口部３０ａは、脱臭用ハウジング３０の上面側に設けられている（図４参照）。また、脱臭用ハウジング３０背面の開口部３０ｂは、脱臭用ハウジング３０の下面側に設けられている（図５参照）。また、脱臭用ハウジング３０上面の開口部３０ｃ側では、開口部３０ｃを塞ぐようにプレート９０がネジ止めして取り付けられる（図４参照）。
【００４８】
脱臭用ハウジング３０は、図２に示すように、吸気口１２側の開口部３０ａと連通し、脱臭フィルタ３２が設けられるフィルタ室９１と、排気口１３側の開口部３０ｂと連通し、フィルタ室９１と仕切り部９２で仕切られる通気室９３とを有している。この仕切り部９２は、フィルタ室９１と通気室９３とを連通する貫通穴（図示せず）を有している。
【００４９】
脱臭フィルタ３２は、肉厚のある平板状に形成されている。図２に示すように、脱臭フィルタ３２の面内方向に、脱臭経路３１が形成される。また、脱臭フィルタ３２の厚さ方向に、脱臭ユニット１５が集塵ユニット１４および送風ユニット１６と取り付けられている。
【００５０】
このように、脱臭ユニット１５では、脱臭フィルタ３２の厚さ方向に空気を通すものではなく、脱臭フィルタ３２の面内方向に空気を通す脱臭経路３１を形成することで、たとえ脱臭フィルタ３２を薄型化しても、脱臭能力が低減するのを防止することができる。これにより、脱臭ユニット１５の薄型化、すなわち集塵機１０の小型化を図ることができる。また、面内方向に空気が通るので脱臭フィルタ３２の全体に空気が行き渡り、無駄なく使い切れるため脱臭フィルタ３２の寿命を延長することができる。これにより、脱臭フィルタ３２の交換回数が減少し、集塵機１０のメンテナンス性を向上することができる。
【００５１】
ここで、脱臭フィルタ３２について詳細に説明する。脱臭フィルタ３２は、図６に示すように、通気性を有する袋９４と、袋９４に隙間無く収納される活性炭９５と、活性炭９５を収納した袋９４を収納し、平板状に形成された箱９６とを備えている。活性炭９５を隙間無く袋９４に収納することで、脱臭フィルタ３２全体の脱臭能力の均一化を図ることができる。なお、箱９６の下面に脱臭用シール体９８が貼り付けられる。
【００５２】
袋９４は、例えば、長尺状の不織布からなり、これを半分に短手で折り返し、折り重なった長手の両側をテープ９７で固定することによって形成される。また、活性炭９５は、所定の大きさのものとなるように、篩に掛けられたものを用いる。所定の大きさとすることで、脱臭フィルタ３２全体の脱臭能力の均一化を図ることができる。また、箱９６は、例えば、段ボールなどの紙からなり、箱９６の上面開口部および下面開口部をそれぞれ上蓋部および下蓋部で塞ぎ、テープ９７で固定することによって形成される。
【００５３】
この箱９６は、箱９６の面内方向で互いに離隔した一対の開口部９６ａ、９６ｂを有している（図６、図７参照）。開口部９６ａは、箱９６正面の上面側に複数設けられている。箱９６の開口部９６ａがフィルタ室９１内に開放され、この開口部９６ａが脱臭用ハウジング３０の開口部３０ａから露出する位置となるように（図４参照）、フィルタ室９１内に脱臭フィルタ３２が設けられる。また、開口部９６ｂは、箱９６下面に複数設けられている。この箱９６の開口部９６ｂと仕切り部９２の貫通穴（図示せず）とが対向するように、フィルタ室９１内に脱臭フィルタ３２が設けられている。
【００５４】
ここで、脱臭ユニット１５は、脱臭フィルタ３２と仕切り部９２との間に設けられ、箱９６の開口部９６ｂと仕切り部９２の貫通穴との間をシールする脱臭用シール体９８を備えている。この脱臭用シール体９８は、例えば、枠状のパッキンであり、脱臭経路３１において空気がリークしないように、箱９６の開口部９６ｂと仕切り部９２の貫通穴を囲んで設けられている。
【００５５】
その一方で、脱臭ユニット１５では、箱９６の開口部９６ａがフィルタ室９１内で開放されて設けられる。このため、図２に示すように、脱臭用ハウジング３０の開口部３０ａから入ってきた空気は、直接には脱臭フィルタ３２を通過しなくとも、フィルタ室９１内に閉じ込められるので、いずれ脱臭フィルタ３２を通過する。すなわち、脱臭ユニット１５では、脱臭用ハウジング３０の開口部３０ａから入ってきた空気がフィルタ室９１内の脱臭フィルタ３２を必ず通過し、通気室９３へ到達して開口部３０ｂから出て行く、脱臭経路３１が形成される。
【００５６】
脱臭能力が低下した脱臭フィルタ３２を交換する際には、まず、脱臭用ハウジング３０上面の開口部３０ｃを覆うプレート９０を取り外す。次いで、脱臭用ハウジング３０内の脱臭フィルタ３２を開口部３０ｃから抜き取って、新しいものと交換し、取り付ける。その後、プレート９０を脱臭用ハウジング３０に取り付ける。
【００５７】
次に、送風ユニット１６の構成について図面を参照して説明する。図８は、正面左上側からみた送風ユニット１６の組み立て斜視図である。
【００５８】
送風用ハウジング４０は、吸気側の正面、これに対する背面、上面、下面、右側面および左側面を有する。送風用ハウジング４０の正面、背面にはそれぞれ開口部４０ａ、４０ｂが設けられている（図２参照）。
【００５９】
送風用ハウジング４０内には、正面の開口部４０ａ側から嵌め込まれる送風フィルタ４３が設けられる。送風フィルタ４３は、いわゆる中性能フィルタである。
【００６０】
このように、集塵機１０は、送風ユニット１６が、送風経路４１の途中の送風機４２の手前で、送風用ハウジング４０内に設けられる送風フィルタ４３を備えている。これによれば、送風用ハウジング４０内の送風機４２などの電装部品の故障率を向上することができる。このため、電装部品の交換頻度も減少して、集塵機１０のメンテナンス性を向上することができる。
【００６１】
この送風フィルタ４３を送風用ハウジング４０内で押さえ付けるために、送風ユニット１６は、送風用ハウジング４０の開口部４０ａ側に取り付けられる枠状の押さえ板１００を備えている。この押さえ板１００の内周縁下部には、開口部４０ａの内周縁下部に設けられた凸状のツメ部１０１が嵌め込まれる凹状のツメ部１０２が設けられている。
【００６２】
塵により目詰まりして捕集効率が低下した送風フィルタ４３を交換する際には、まず、送風ユニット１６と脱臭ユニット１５にかかる二箇所のパチン錠の取付け具６３を外し、送風ユニット１６に対して脱臭ユニット１５を回転させて送風用ハウジング４０の開口部４０ａを開く。次いで、押さえ板１００を取り外す。次いで、送風フィルタ４３を新しいものと交換し、取り付ける。その後、逆の手順で送風ユニット１６へ脱臭ユニット１５を取り付ける。
【００６３】
集塵機１０において、送風ユニット１６は、送風機４２（例えば、ブロア、ファン）を含め各種の電装品を備えており、集塵機１０の電装ユニット（本体）となる。電装ユニットである送風ユニット１６は、電源スイッチ４４を備えている。また、送風ユニット１６は、送風機４２の風量を調節するため、つまみ４５を備えている。また、送風ユニット１６は、送風機４２を制御するための制御基板や、つまみ４５を操作するための操作基板や、モータを駆動するための駆動基板などの基板も備えている。
【００６４】
ここで、集塵機１０の運転方法を概略すると、まず、電源プラグをコンセントに差し込む。次いで、電源スイッチ４４をＯＮにすると送風機４２が起動する。つまみ４５を回転させることで、送風機４２の風量を調整することができる。次いで、電源スイッチ４４をＯＦＦにすると送風機４２が停止する。
【００６５】
なお、送風ユニット１６は、フィルタの目詰まりを管理するために差圧計を備えることもできる。この差圧計によれば、吸気側フィルタ全体（通気経路１１において送風機４２の手前まで）の絶対圧力を検知することができる。また、差圧信号の取出口を設け、外部へ差圧信号を出力することもできる。
【００６６】
次に、排気ユニット１７の構成について図面を参照して説明する。図９は、背面左上側からみた排気ユニット１７の組み立て斜視図である。図１０は、排気ユニット１７の正面側からみた平面図（正面図）である。
【００６７】
ここで、図１０では、説明を明解にするために、シール体６０にハッチングを付している。このように、排気用ハウジング５０背面では、送風ユニット１６と排気ユニット１７の間に設けられる枠状のシール体６０が、開口部５０ｂを囲むように貼り付けられている。
【００６８】
排気ユニット１７の排気用ハウジング５０は、吸気側の正面、これに対する背面、上面、下面、右側面および左側面を有する。排気用ハウジング５０の正面、背面にはそれぞれ開口部５０ａ、５０ｂが設けられている。
【００６９】
排気用ハウジング５０正面の開口部５０ａ側では、空気が通過する長穴１０３ａや、ネジ止め具（取付け具）の雄ネジ部が貫通する通し穴１０３ｂを有する排気カバー１０３が溶接して取り付けられている。また、排気用ハウジング５０背面の開口部５０ｂ側では、複数の排気口１３を有する排気扉１０４が取付け具１０５によって取り付けられている。排気用ハウジング５０と排気扉１０４との取り付けには、排気ユニット１７の右側面および左側面側のそれぞれ二箇所（計四箇所）でパチン錠の取付け具１０５が用いられる。なお、排気用ハウジング５０側にパチン錠の本体部が設けられ、排気扉１０４側にパチン錠の受け部が設けられている。
【００７０】
排気用ハウジング５０内には、背面の開口部５０ｂ側から嵌め込まれる排気フィルタ５２が設けられる。排気フィルタ５２は、いわゆるＨＥＰＡフィルタである。この排気フィルタ５２は、排気扉１０４によって押さえられる。
【００７１】
塵により目詰まりして捕集効率が低下した排気フィルタ５２を交換する際には、まず、排気用ハウジング５０と排気扉１０４にかかる四箇所のパチン錠の取付け具１０５を外し、排気扉１０４を取り外す。次いで、排気フィルタ５２を新しいものと交換し、取り付ける。その後、逆の手順で排気用ハウジング５０へ排気扉１０４を取り付ける。
【００７２】
本実施形態によれば、空気を濾過する機能を有する集塵ユニット１４、空気から脱臭を行う機能を有する脱臭ユニット１５、空気流を発生する機能を有する送風ユニット１６、集塵ユニット１４で濾過されずに通過した微粒子を含む空気を濾過する機能を有する排気ユニット１７のように、機能別のユニットを組み合わせて構成される集塵機１０を提供することができる。
【００７３】
また、このような機能別のユニットにより、集塵機１０のメンテナンス性を向上することができる。例えば、送風ユニット１６および脱臭ユニット１５から集塵ユニット１４を取り外すことで、集塵ユニット１４の集塵フィルタ２２のクリーニングや交換を容易にすることができる。
【００７４】
［実施形態２］
前記実施形態１では、集塵機１０の集塵ユニット１４において、集塵フィルタ２２として、シェーキングフィルタ７６を用いた場合について説明した。本発明の実施形態では、集塵機１０（１０Ａ）の集塵ユニット１４（１４Ａ）において、集塵フィルタ２２（２２Ａ）として、パックフィルタを用いる場合について図面を参照して説明する。図１１は本実施形態における集塵機１０Ａの正面左上側からみた斜視図である。また、図１２は背面左上側からみた集塵ユニット１４Ａの組み立て斜視図である。なお、集塵ユニット１４Ａの構成の他は前記実施形態１と同様である。
【００７５】
集塵用ハウジング２０（２０Ａ）は、吸気側の正面、これに対する背面、上面、下面、右側面および左側面を有する。集塵用ハウジング２０Ａの正面、背面にはそれぞれ開口部２０ａ、２０ｂが設けられている。集塵用ハウジング２０Ａ正面の開口部２０ａ側では、筒状の吸気口１２およびこれと連通するパイプ１０６を有する吸気扉７２（７２Ａ）が溶接して取り付けられている。この吸気口１２は吸気扉７２Ａの外側に突出し、パイプ１０６は吸気扉７２Ａの内側に突出している。
【００７６】
この集塵用ハウジング２０Ａ内には、背面の開口部２０ｂ側から嵌め込まれる集塵フィルタ２２Ａが設けられる。集塵フィルタ２２Ａは、パイプ１０６と嵌合するように、パイプ１０６との対向面に設けられ、開口部を有する受け部１０７（図１２中、破線で示す。）を備えた、いわゆるパックフィルタである。なお、パックフィルタを備えた集塵ユニット１４（１４Ａ）は、パックフィルタユニットともいう。
【００７７】
また、集塵用ハウジング２０Ａ背面の開口部２０ｂ側では、脱臭ユニット１５が取り付けられる（図１１参照）。この集塵用ハウジング２０Ａ背面では、集塵ユニット１４Ａと脱臭ユニット１５との間に設けられる枠状のシール体６０が、集塵用ハウジング２０Ａの開口部２０ｂを囲むように貼り付けられている（図１２参照）。
【００７８】
塵により目詰まりして捕集効率が低下した集塵フィルタ２２Ａを交換する際には、図１１に示すように、まず、集塵ユニット１４Ａと脱臭ユニット１５との間にかかるパチン錠である取付け具６３を取り外し、集塵ユニット１４Ａを開く。次いで、パイプ１０６に差し込まれている集塵フィルタ２２Ａを手前に取り外す。次いで、新しい集塵フィルタ２２Ａを、パイプ１０６の奥まで差し込む。その後、逆の手順で脱臭ユニット１５へ集塵ユニット１４Ａを取り付ける。
【００７９】
本実施形態によれば、空気を濾過する機能を有する集塵ユニット１４（１４Ａ）として、パックフィルタユニットを用い、集塵ユニット１４Ａ、脱臭ユニット１５、送風ユニット１６、排気ユニット１７のように、機能別のユニットを組み合わせて構成される集塵機１０Ａを提供することができる。
【００８０】
［実施形態３］
本発明の実施形態では、前記実施形態とは複数の機能ユニットの組み合わせが異なる集塵機１０（１０Ｂ、１０Ｃ）について図面を参照して説明する。図１３は、本実施形態における集塵機１０Ｂの正面左上側からみた斜視図である。図１４は、本実施形態における集塵機１０Ｃの正面左上側からみた斜視図である。
【００８１】
図１３に示すように、集塵機１０Ｂでは、複数の機能ユニットのうち、集塵ユニット１４、送風ユニット１６を具備して各機能ユニットが取り付けられている。また、図１４に示すように、集塵機１０Ｃでは、複数の機能ユニットのうち、集塵ユニット１４Ａ、送風ユニット１６を具備して各機能ユニットが取り付けられている。これら集塵機１０Ｂ、１０Ｃは、通気経路１１において、吸気口１２側に集塵経路２１、排気口１３側に送風経路４１が介在して連通するように、複数の機能ユニットが取り付けられる。
【００８２】
本実施形態によれば、使用目的にあわせて、機能ユニットを組み合わせることができ、その使用目的において最もコンパクト化、軽量化した集塵機１０Ｂ、１０Ｃを提供することができる。このようなコンパクト化、軽量化された集塵機１０Ｂ、１０Ｃは、ポータブル性に優れたものとなる。
【００８３】
［実施形態４］
本発明の実施形態では、前記実施形態とは複数の機能ユニットの組み合わせが異なる集塵機１０（１０Ｄ、１０Ｅ）について図面を参照して説明する。図１５は、本実施形態における集塵機１０Ｄの正面左上側からみた斜視図である。図１６は、本実施形態における集塵機１０Ｅの正面左上側からみた斜視図である。
【００８４】
図１５に示すように、集塵機１０Ｄでは、複数の機能ユニットのうち、集塵ユニット１４、脱臭ユニット１５、送風ユニット１６を具備して各機能ユニットが取り付けられている。また、図１６に示すように、集塵機１０Ｅでは、複数の機能ユニットのうち、集塵ユニット１４Ａ、脱臭ユニット１５、送風ユニット１６を具備して各機能ユニットが取り付けられている。これら集塵機１０Ｄ、１０Ｅは、通気経路１１において、集塵経路２１と送風経路４１の間に脱臭経路３１が介在して連通するように、複数の機能ユニットが取り付けられる。
【００８５】
本実施形態によれば、使用目的にあわせて、機能ユニットを組み合わせることができる。例えば、レーザ加工機により樹脂やゴムなどを加工すると発生する臭気、ハンダなどのヒューム、ガス状成分の臭気に対して、脱臭ユニット１５を組み合わせて構成される集塵機１０Ｄ、１０Ｅを提供することができる。
【００８６】
［実施形態５］
本発明の実施形態では、前記実施形態とは複数の機能ユニットの組み合わせが異なる集塵機１０（１０Ｆ、１０Ｇ）について図面を参照して説明する。図１７は、本実施形態における集塵機１０Ｆの正面左上側からみた斜視図である。図１８は、本実施形態における集塵機１０Ｇの正面左上側からみた斜視図である。
【００８７】
図１７に示すように、集塵機１０Ｆでは、複数の機能ユニットのうち、集塵ユニット１４、送風ユニット１６、排気ユニット１７を具備して各機能ユニットが取り付けられている。また、図１８に示すように、集塵機１０Ｇでは、複数の機能ユニットのうち、集塵ユニット１４Ａ、送風ユニット１６、排気ユニット１７を具備して各機能ユニットが取り付けられている。集塵機１０Ｆ、１０Ｇは、通気経路１１において、最も排気口１３側に排気経路５１が介在して連通するように、複数の機能ユニットが取り付けられる。
【００８８】
本実施形態によれば、使用目的にあわせて、機能ユニットを組み合わせることができる。例えば、クリーンルームなどの清浄空間であっても、排気ユニット１７を組み合わせて構成される集塵機１０Ｆ、１０Ｇを提供することができる。
【００８９】
以上、本発明を実施形態に基づき具体的に説明したが、代表的なものの新規な特徴およびこれによって得られる作用、効果を簡単に説明すれば、次のとおりである。
【００９０】
本発明の一実施形態における集塵機１０は、複数の機能ユニットを具備し、吸気口１２から塵を含む空気を吸引し、吸引した空気を濾過して排気口１３から排出するものである。
【００９１】
集塵機１０は、複数の機能ユニットのうち、一対の開口部２０ａ、２０ｂを有する集塵用ハウジング２０と、一対の開口部２０ａ、２０ｂを両端部とする集塵経路２１の途中にあって、集塵用ハウジング２０内に設けられた集塵フィルタ２２とを備えて空気を濾過する集塵ユニット１４を具備している。また、集塵機１０は、複数の機能ユニットのうち、一対の開口部４０ａ、４０ｂを有する送風用ハウジング４０と、一対の開口部４０ａ、４０ｂを両端部とする送風経路４１の途中にあって、送風用ハウジング４０内に設けられた送風機４２とを備えて空気流を発生する送風ユニット１６を具備している。
【００９２】
ここで、集塵機１０は、吸気口１２から排気口１３までの通気経路１１では、吸気口１２側に集塵経路２１、排気口１３側に送風経路４１が介在して連通するように、複数の機能ユニットが取り付けられる。
【００９３】
このような一実施形態によれば、空気を濾過する機能を有する集塵ユニット１４および空気流を発生する機能を有する送風ユニット１６のように、機能別のユニットを組み合わせて構成される集塵機１０を提供することができる。
【００９４】
また、このような機能別のユニットにより、集塵機１０のメンテナンス性を向上することができる。例えば、送風ユニット１６から集塵ユニット１４を取り外すことで、集塵ユニット１４の集塵フィルタ２２のクリーニングや交換を容易にすることができる。
【００９５】
また、使用目的にあわせて、機能ユニットを組み合わせることができ、その使用目的において最もコンパクト化、軽量化した集塵機１０を提供することができる。このようなコンパクト化、軽量化された集塵機１０は、ポータブル性に優れたものとなる。
【００９６】
そして、本発明の他の実施形態における集塵機１０は、複数の機能ユニットのうち、一対の開口部３０ａ、３０ｂを有する脱臭用ハウジング３０と、一対の開口部３０ａ、３０ｂを両端部とする脱臭経路３１の途中にあって、脱臭用ハウジング３０内に設けられる脱臭フィルタ３２とを備えて空気から脱臭を行う脱臭ユニット１５を具備する。また、通気経路１１では、集塵経路２１と送風経路４１の間に脱臭経路３１が介在して連通するように、あるいは、送風経路４１と排気口１３との間に脱臭経路３１が介在して連通するように、複数の機能ユニットが取り付けられる。
【００９７】
また、脱臭フィルタ３２は、通気性を有する袋９４と、袋９４に収納される活性炭９５と、活性炭９５を収納した袋９４を収納し、平板状に形成された箱９６とを備える。また、箱９６は、箱９６の面内方向で互いに離隔した一対の開口部９６ａ、９６ｂを有する。また、脱臭ユニット１５は、箱９６の厚さ方向に集塵ユニット１４または送風ユニット１６と取り付けられる。
【００９８】
このような他の実施形態によれば、例えば、レーザ加工機により樹脂やゴムなどを加工すると発生する臭気、ハンダなどのヒューム、ガス状成分の臭気に対して、脱臭ユニット１５を組み合わせて構成される集塵機１０を提供することができる。
【００９９】
また、たとえ脱臭フィルタ３２を薄型化しても、脱臭能力が低減するのを防止することができ、集塵機１０の小型化を図ることができる。また、面内方向に空気が通るので脱臭フィルタ３２の全体に空気が行き渡り、脱臭フィルタ３２の寿命を延長することができる。これにより、脱臭フィルタ３２の交換回数が減少し、集塵機１０のメンテナンス性を向上することができる。
【０１００】
そして、本発明の他の実施形態における集塵機１０は、集塵ユニット１４が、排気口１３側から集塵フィルタ２２（シェーキングフィルタ７６）に間欠に当接して集塵機フィルタ２２を振動させるシェーキング体８０を、集塵用ハウジング２０内に備える。
【０１０１】
このような他の実施形態によれば、集塵機能とクリーニング機能を兼ね備えた集塵ユニット１４を組み合わせて集塵機１０を提供することができる。また、集塵ユニット１４がクリーニング機能を備えることで、集塵フィルタ２２の交換回数も減少して、集塵機１０のメンテナンス性を向上することができる。
【０１０２】
そして、本発明の他の実施形態における集塵機１０は、隣接する、例えば集塵ユニット１４と送風ユニット１５などの機能ユニット間に設けられ、通気経路１１をシールするシール体６０と、この隣接する集塵ユニット１４と送風ユニット１５間にかかる取付け具６３とを備える。
【０１０３】
このような他の実施形態によれば、集塵ユニット１４と送風ユニット１５との着脱が容易であり、集塵機１０において機能別のユニットを組み合わせることも容易となる。また、集塵ユニット１４と送風ユニット１５との着脱が容易であるため、例えば、集塵ユニット１４内に溜まった塵の除去も容易に行え、集塵機１０のメンテナンス性を向上することができる。
【０１０４】
そして、本発明の他の実施形態における集塵機１０は、複数の機能ユニットのうち、一対の開口部５０ａ、５０ｂを有する排気用ハウジング５０と、一対の開口部５０ａ、５０ｂを両端部とする排気経路５１の途中にあって、排気用ハウジング５０内に設けられ、集塵フィルタ２２よりも目の細かい排気フィルタ５２とを備えて空気を濾過する排気ユニット１７を具備する。ここで、通気経路１１では、最も排気口１３側に排気経路５１が介在して連通するように、複数の機能ユニットが取り付けられる。
【０１０５】
このような他の実施形態によれば、例えば、クリーンルームなどの清浄空間であっても、排気ユニット１７を組み合わせて構成される集塵機１０を提供することができる。
【０１０６】
そして、本発明の他の実施形態における集塵機１０は、送風ユニット１６が、送風経路４１の途中の送風機４２の手前で、送風用ハウジング４０内に設けられる送風フィルタ４３を備える。
【０１０７】
このような他の実施形態によれば、送風用ハウジング４０内の送風機４２などの電装部品の故障率を向上することができる。このため、電装部品の交換頻度も減少して、集塵機１０のメンテナンス性を向上することができる。
【０１０８】
さらに、本発明は前記実施形態に限定されるものではなく、その要旨を逸脱しない範囲で種々変更可能であることはいうまでもない。
【０１０９】
例えば、前記実施形態では、シェーキングフィルタユニット（集塵ユニット）内にプリコート剤を添加していない場合について説明した。これに限らず、シェーキングフィルタユニット内に、例えば、炭酸カルシウムやゼオライトから構成されるプリコート剤を添加することもできる。プリコート剤は、集塵機において粘着性のあるヒュームを吸煙する場合に有効である。
【０１１０】
具体的には、プリコート剤により、粘着性の塵が直接集塵フィルタに付着するのを防止し、シェーキング体との利用と合わせて、集塵フィルタの寿命を延長することができる。したがって、集塵フィルタの交換頻度が減少して、集塵機のメンテナンス性を向上することができる。なお、プリコート剤は、ダストプレートが取り外された第１ハウジングの開口部から第１ハウジング内部へ入れることができる。
【０１１１】
また、例えば、前記実施形態では、脱臭ユニットにおいて、通気室を脱臭用ハウジング下面側に設けた場合について説明した。これに限らず、通気室を脱臭用ハウジング上面側に設けてもよい。この場合、脱臭フィルタを構成する箱の面内方向で互いに離隔した一対の開口部は、それぞれ箱の上面および下面に設けることもできる。
【符号の説明】
【０１１２】
１０  集塵機
１１  通気経路
１２  吸気口
１３  排気口
１４  集塵ユニット
１５  脱臭ユニット
１６  送風ユニット
１７  排気ユニット
２０  集塵用ハウジング
２０ａ、２０ｂ  開口部
２１  集塵経路
２２  集塵フィルタ
３０  脱臭用ハウジング
３０ａ、３０ｂ、３０ｃ  開口部
３１  脱臭経路
３２  脱臭フィルタ
４０  送風用ハウジング
４０ａ、４０ｂ  開口部
４１  送風経路
４２  送風機
４３  送風フィルタ
４４  電源スイッチ
４５  つまみ
５０  排気用ハウジング
５０ａ、５０ｂ  開口部
５１  排気経路
５２  排気フィルタ
６０  シール体
６３  取付け具
６８  足
７０  第１ハウジング
７１  第２ハウジング
７２  吸気扉
７３  ダストプレート
７４  衝突板
７５  枠
７６  シェーキングフィルタ
７７  金具部
８０  シェーキング体
８１  梁部
８１ａ  回転軸
８２  アーム部
８２ａ  長溝
８３  当接部
８４  突起部
８５  シャフト部
８６  レバー部
９０  プレート
９１  フィルタ室
９２  仕切り部
９３  通気室
９４  袋
９５  活性炭
９６  箱
９６ａ、９６ｂ  開口部
９６ｃ、９６ｄ  蓋
９７  テープ
９８  脱臭用シール体
１００  押さえ板
１０１、１０２  ツメ部
１０３  排気カバー
１０３ａ  長穴
１０４  排気扉
１０５  取付け具
１０６  パイプ
１０７  穴部
【図１】
0005696680.tif 000002
【図２】
0005696680.tif 000003
【図３】
0005696680.tif 000004
【図４】
0005696680.tif 000005
【図５】
0005696680.tif 000006
【図６】
0005696680.tif 000007
【図７】
0005696680.tif 000008
【図８】
0005696680.tif 000009
【図９】
0005696680.tif 000010
【図１０】
0005696680.tif 000011
【図１１】
0005696680.tif 000012
【図１２】
0005696680.tif 000013
【図１３】
0005696680.tif 000014
【図１４】
0005696680.tif 000015
【図１５】
0005696680.tif 000016
【図１６】
0005696680.tif 000017
【図１７】
0005696680.tif 000018
【図１８】
0005696680.tif 000019